(57)【要約】【課題】プラスチック容器の品質を低下させることなく、製造コストを低減化する。内容物量を容器外部から確認できるようにして利便性の向上を図る。【解決手段】従来のプラスチック容器の厚さと略同一のまま、外層部分１０を廃棄対象プラスチックとバージンプラスチック、内層部分２０を透明なバージンプラスチックで成形した二層構造のプラスチック製容器１とした。外層部分１０と内層部分２０のプラスチックの材質は同一である。外層部分１０には廃棄対象プラスチックを用いているので、コストダウンを図ることができる。内層部分２０はバージンプラスチックなので、耐久性に優れ内容物を汚染することがない。外層部分１０と内層部分２０はブロー成形によって一体化し、同一材質なので接合性が良い。透明な内層部分２０の一部が外層部分１０に露出して内容物視認用の窓２０ａが形成され、容器１の外部から内容物量を確認することができる。【選択図】　　図２
0003099726.tif 000002
【実用新案登録請求の範囲】
【請求項１】
内容物収納空間を形成する内層体、およびこれと一体で外部空間側の外層体からなるプラスチック製容器において、
前記内層体が、廃棄対象プラスチックを含むことなしに、バージンプラスチックを成形したものであり、
前記外層体が、少なくとも廃棄対象プラスチックを成形したものである、
ことを特徴とするプラスチック製容器。
【請求項２】
前記内層体として透明なものを用い、その一部が内容物確認用の窓部の形で外部空間側に露出している、
ことを特徴とする請求項１記載のプラスチック製容器。
【請求項３】
前記窓部を容器の上下方向に形成した、
ことを特徴とする請求項２記載のプラスチック製容器。
【請求項４】
前記内層体および前記外層体をそれぞれ形成するレジンがともに同一種別のものである、
ことを特徴とする請求項１記載のプラスチック製容器。
【請求項５】
前記内層体および前記外層体をそれぞれ形成するレジンがともに同一種別のものである、
ことを特徴とする請求項２記載のプラスチック製容器。
【請求項６】
前記内層体および前記外層体をそれぞれ形成するレジンがともに同一種別のものである、
ことを特徴とする請求項３記載のプラスチック製容器。
【考案の詳細な説明】
【０００１】
【考案の属する技術分野】
本考案は、プラスチック製容器に関し、特に内層体にバージンプラスチック製のものを用い（廃棄対象プラスチックを用いない）、かつ外層体には廃棄対象プラスチック製のものを用いて、容器全体の品質を低下させることなくその製造コストの低減化を図ったプラスチック製容器に関する。
【０００２】
なお、本明細書では、廃棄の対象となりえる任意の状態のプラスチックを「廃棄対象プラスチック」という。
【０００３】
この廃棄対象プラスチックには、例えば、
・各種プラスチック製品の製造過程で生じるバリ，残渣などの不要部分
・使用済みの各種プラスチック製品
・品質が基準以下で製品化には適さない成形材料（各種の添加剤，改質剤が加えられた状態のペレット）などが該当する。
【０００４】
また、少なくとも、レジン（合成樹脂）に各種の添加剤，改質剤が加えられた成形材料（ペレット）やそれを加工した製品などを「プラスチック」という。
【０００５】
また、プラスチック製容器の開口部側を「上」といい、底面部側を「下」という。
【０００６】
【従来の技術】
従来、自動車，オートバイ用のエンジンオイルや化学合成された溶液などを収納する容器にはプラスチック製容器，金属製容器などが用いられている。
【０００７】
図４に示すように、一般的なプラスチック製容器２はプラスチックのブロー成形により製造された単層構造のものである。
【０００８】
ここで、バージンプラスチックのみを用いてプラスチック製容器２を成形すると品質は良いもののコストが高くなる。
【０００９】
一方、廃棄対象プラスチックのみを用いてプラスチック製容器２を成形すると低コストだが、再加工時の熱処理により密度不足になりポーラスや亀裂が生じて内容物が漏洩する可能性があり、また内容物を汚染することがある。
【００１０】
なお、廃棄対象プラスチックを用いた多層構造のプラスチック製容器としては、表面光沢を有する外層部分と落下衝撃強度に優れた内層部分、およびこれらの中間層部分としての廃棄対象プラスチック層からなるものがある（例えば特許文献１参照。）。
【００１１】
【特許文献１】
特開２００３−９４５３９
【００１２】
【考案が解決しようとする課題】
このように、プラスチック製容器をバージンプラスチックのみを用いて成形するとその製品コストが高くなり、廃棄対象プラスチックのみを用いて成形すると品質の低下を招くという問題点があった。
【００１３】
そこで、本考案では、（廃棄対象プラスチックを含まない）バージンプラスチック製の容器内層体と、廃棄対象プラスチック製の容器外層体とからなり、低コストでありながら耐久性に優れ、また内容物を汚染することのないプラスチック製容器を提供することを目的とする。
【００１４】
また、廃棄対象プラスチックを積極的に再利用することによって資源を有効に利用し、ひいては環境保護を図ることを目的とする。
【００１５】
また、内層体を透明プラスチック状のものにしてこの一部が外層体に露出したかたちの内容物量確認用の窓部を設け、容器の外部から内容物量を確認できるようにすることを目的とする。なお、「透明」とは、少なくとも容器に収納した内容物を外部から確認できる程度の意である。
【００１６】
【課題を解決するための手段】
本考案はこの課題を次のようにして解決する。
（１）内容物収納空間を形成する内層体（例えば後述の内層部分２０）、およびこれと一体で外部空間側の外層体（例えば後述の外層部分１０）からなるプラスチック製容器（例えば後述のプラスチック製容器１）において、前記内層体を、廃棄対象プラスチックを含むことなしに、バージンプラスチックを成形したもので構成し、前記外層体を、少なくとも前記廃棄対象プラスチックを成形したもので構成する。
（２）上記（１）において、前記内層体として透明なものを用い、その一部が内容物量確認用の窓部（例えば後述の窓２０ａ）として外部空間側に露出した態様にする。
（３）上記（２）において、前記窓部を上下方向に設ける。
（４）上記（１）〜（３）において、前記内層体および前記外層体をそれぞれ形成するレジン（合成樹脂）を同一種別（例えばＨＤＰＥ）のものとする。
【００１７】
本考案では、このように、内容物収納空間を形成する内層体をバージンプラスチックで成形して廃棄対象プラスチックが含まれないものとし、外部空間側の外層体を少なくとも廃棄対象プラスチックで成形し、これにより品質を低下させることなく製造コストの低減化を図っている。
【００１８】
また、廃棄対象プラスチックを積極的に再利用することにより資源の有効利用を図っている。
【００１９】
また、内容物量確認用の透明窓部を設けて容器の外部から内容物量を確認できるようにし、これにより容器利用者の利便性の向上を図っている。
【００２０】
また、内層体のレジンと外層体のレジンとを同一種別のものとし、これにより両者の接合性の向上を図っている。
【００２１】
【考案の実施の形態】
図１乃至図３を用いて、本考案の実施の形態を説明する。
図１は二層構造のプラスチック製容器の外観形状、図２は図１の容器の上下方向の断面図、図３は図１の容器の左右方向の断面図をそれぞれ示している。
【００２２】
これらの図において、
１は二層構造のプラスチック製容器，１ａは開口部，１ｂは当該容器を手で持つときに指の掛りが良いように形成された凹状部，１ｃは当該凹状部に形成された凸状のスリップ止め，１ｄは内容物収納空間，
１０は廃棄対象プラスチックとバージンプラスチックの混合物からなる外層部分，１０ａは当該外層部分に形成された部分で内容物量確認用の窓２０ａに対応する縦孔，
２０は透明のバージンプラスチックのみからなる内層部分，２０ａは当該内層部分の一部であって外層部分１０の縦孔１０ａに成形された内容物量確認用の上下方向の窓
をそれぞれ示している。
【００２３】
プラスチック製容器１は、その厚さが従来の単層構造のプラスチック製容器と略同一の二層構造となっている。そして、外部空間側の外層部分１０は廃棄対象プラスチックおよびバージンプラスチックで構成され、内容物収納空間１ｄ側の内層部分２０にはバージンプラスチックのみで（＝廃棄対象プラスチックを含まずに）構成されている。なお、外層部分１０を廃棄対象プラスチックのみで構成してもよいことは勿論である。
【００２４】
ここで、プラスチック製容器１の外層部分１０および内層部分２０を構成するレジン（樹脂）は、ＨＤＰＥ，ＰＥＴ，ＰＰ，ＬＤＰＥ，ＰＳ，ＰＶＣなどである。なお、外層部分１０と内層部分２０の接合状態を良くするため、両者の層部分はともに同一種別（材質）のレジンを用いることが好ましい。
【００２５】
外層部分１０における廃棄対象プラスチックとバージンプラスチックも同一種別のレジンのものが好ましい。
【００２６】
外層部分１０および内層部分２０それぞれの厚さの比率は、望ましくは１：３〜３：１である。
【００２７】
プラスチック製容器１の構成要素の材質やサイズ割合の一例として、
・廃棄対象プラスチックおよびバージンプラスチックは可塑剤，充填剤，安定剤などを含んだＨＤＰＥであり（以下の説明では、必要に応じてそれぞれ「廃棄対象ＨＤＰＥ」，「バージンＨＤＰＥ」という。）、
・内層部分２０は透明なバージンＨＤＰＥであり、
・外層部分１０および内層部分２０の厚みの比率は１：１である、
ことがあげられる。
【００２８】
図１乃至図３に示すように、二層構造のプラスチック製容器１は、透明な内層部分２０の一部が外層部分１０の縦孔１０ａに入り込み、内容物量確認用の窓２０ａが外層部分１０と略同一面になるかたちで一体化している。
【００２９】
外層部分１０は、顔料で着色されている。外層部分を廃棄対象プラスチックで構成することにより、プラスチック資源の有効利用を図るとともに、バージンプラスチックの使用量を少なくした分の製造コストの低減化を図っている。
【００３０】
一方、内層部分２０は透明なバージンＨＤＰＥで構成され、廃棄対象プラスチックは含まれていないので、ポーラスや亀裂が生じたりこの内層部分に直接触れる内容物が変質するといったことはない。
【００３１】
そして、内容物確認用の窓２０ａにより、プラスチック製容器１の外部から内容物量を簡単に確認することができる。
【００３２】
外層部分１０および内層部分２０を構成するレジンは同一の材質なので、両者はブロー成形で確実に接合され、これにより外層部分１０は内層部分２０により補強されるかたちとなるので、廃棄対象プラスチックを用いて成形した容器に発生するポーラスや亀裂などの発生が抑制される。
【００３３】
外層部分１０と内層部分２０との二層構造の製造に際してはブロー成形技術などを用いる。
【００３４】
ブロー成形の場合、概略、
（１）　押出機で、廃棄対象ＨＤＰＥおよびバージンＨＤＰＥの混合物（外層）と透明なバージンＨＤＰＥ（内層）とからなる樹脂を押し出して、（縦孔１０ａを持つ形の）いわば二層構造のパリソンを作成し、
（２）　このパリソンを容器対応形状の金型で挟んでから、当該パリソンの中に圧縮空気を吹き込んで成形する、
ことになる。
【００３５】
種々の顔料を添加することによって外層部分１０を着色できるが、そこで用いる廃棄対象ＨＤＰＥのペレットがすでに所望の色の場合には、顔料を新たに添加しなくてもよい。
【００３６】
外層部分１０を廃棄対象プラスチックのみで構成してもよく、また、外層部分１０および内層部分２０を所望の新たな性状（廃棄対象プラスチックなどからは得られない性状）にするため、廃棄対象プラスチックやバージンプラスチックにさらに各種の添加剤や改質剤を混合するようにしてもよい。
【００３７】
【考案の効果】
本考案では、このように、内容物収納空間を形成する内層体をバージンプラスチックで成形して廃棄対象プラスチックが含まれないものとし、外部空間側の外層体を少なくとも廃棄対象プラスチックで成形しているので、低コストでありながら耐久性に優れ、かつ内容物を汚染することのないプラスチック製容器を提供することができる。
【００３８】
また、廃棄対象プラスチックを積極的に再利用しているので、資源の有効利用を図って環境保護に貢献するることができる。
【００３９】
また、内容物量確認用の透明窓部を設けて容器の外部から内容物量を確認できるようにしているので、容器利用者の利便性の向上を図ることができる。
【００４０】
また、内層体のレジンと外層体のレジンとを同一種別のものとしているので、両者の接合性の向上を図ることができる。
【図面の簡単な説明】
【図１】本考案の、二層構造のプラスチック製容器の外観形状を示す説明図である。
【図２】本考案の、二層構造のプラスチック製容器の上下方向の断面図である。
【図３】本考案の、二層構造のプラスチック製容器の左右方向の断面図である。
【図４】従来の、単層構造のプラスチック製容器の上下方向の断面図である。
【符号の説明】
１：二層構造のプラスチック製容器
１ａ：開口部
１ｂ：凹状部
１ｃ：スリップ止め
１ｄ：内容物収納空間
１０：外層部分
１０ａ：縦孔
２０：内層部分
２０ａ：内容物量確認用の窓
２：単層構造のプラスチック製容器
【図１】
0003099726.tif 000003
【図２】
0003099726.tif 000004
【図３】
0003099726.tif 000005
【図４】
0003099726.tif 000006